(57)【特許請求の範囲】
【請求項１】
表示板と、
表示板を固定起立させるための液体タンクと、
からなる表示板起立構造体であって、
液体タンクの液体注入口は、液体タンク底面側にて内部に向かって形成された凹部に設けられ、液体タンクの容積の約７割を満たす量の液体を注入して水平の状態で置いた場合に液体タンク内の液体が形成する水面の位置である標準水面位置よりも高い位置に設けられたことを特徴とする表示板起立構造体。
【請求項２】
液体タンク側部の高さは１０センチメートル以上３０センチメートル以下である請求項１に記載の表示板起立構造体。
【請求項３】
液体タンクに標準水面まで水を注入した際の液体タンクの重さは、１０キログラム以上であり、液体タンクに固定起立される表示板を含めた高さが９５０ミリメートル以上１２００ミリメートル以下である請求項１又は２に記載の表示板起立構造体。
【発明の詳細な説明】
【技術分野】
【０００１】
本発明は、表示板とこれを固定起立させるための液体タンクとからなる表示板起立構造体に関する。特に、看板、掲示板、広告板などを液体タンクに差し込んで固定起立させて注意喚起や宣伝広告を行うためのものであって、重しとして用いる液体タンクに注入した液体が漏れないような構造とした表示板起立構造体に関する。
【背景技術】
【０００２】
歩行者などに対し注意喚起や宣伝広告などを行うための看板、掲示板、広告板などの表示板が街のあちらこちらで見かけられる。この中には、表示板が風で倒れないようにするため、水などの液体を入れた液体タンクを重しとして、この上に表示板を差し込み、起立した状態で固定させるようにした表示板起立構造体も多く見られる。こうした表示板起立構造体は、一方で、相当程度の風圧でも倒れないように液体を入れた状態の液体タンクがある程度の重量になるように設計されている必要があるが、他方で、表示板を差し替えたり表示板起立構造体の置き場所を移動したりすることも多いため、簡易な構造で、運搬が容易であることも必要である。かかる表示板起立構造体として、例えば特許文献１においては、注入口・排出口を備えた中空のベース部と該ベース部に立設される告知面板部とを備えた移動式看板装置であって、ベース部を水タンクとして利用できるようにしたものが開示されている（特許文献１参照）。
【特許文献１】特開２００４‐１４５２１６号公報
【発明の開示】
【発明が解決しようとする課題】
【０００３】
ところが最近では、アメニティ、福祉、環境保護などに配慮した地域社会の実現をめざす風潮の中にあって、こうした表示板起立構造体がさらに次のような条件も備えている必要があると認識されるに至った。第一に、表示板起立構造体が街の美観を害したり宣伝広告効果を損なったりすることがないよう、見映えを良くする必要がある。この点、液体タンクの注入口・排出口が外部から見えていると見映えが悪いので、これを外部から見えない位置に取り付ける必要がある。第二に、第一の点とも関連するが、注入口・排出口を外部から見えないように例えば液体タンクの底面に取り付けた場合、そこから液体が漏れて美観を害したり通行に支障をきたしたりするおそれが生じ得るので、このようなことがないよう液体漏れの生じない構造とする必要がある。第三に、身障者を乗せた車椅子や乳幼児を乗せた乳母車などが液体タンクに乗り上げて通行に支障をきたさないような液体タンクの形状とする必要がある。
【０００４】
しかしながら、従来の表示板起立構造体においてはこれらの点に配慮がされておらず、注入口・排出口を液体タンクの上部や側面部に設けたもの（例えば、上述の特許文献１においては、注入口がベース部の上面に設けられた例が示されている）や、車椅子等が簡単に乗り上げてしまうような平べったい形状の液体タンクを備えたものしか開示されていない。
【０００５】
そこで、本発明が解決すべき課題は、表示板が風で倒れないようにするため液体を入れた液体タンクを重しとしてこの上に表示板を差し込んで起立した状態で固定させるようにした、簡易な構造で、運搬が容易である表示板起立構造体において、第一に、表示板起立構造体の見映えをよくするため液体タンクの注入口・排出口を外部から見えない位置に取り付け、しかも、注入口・排出口から液体が漏れない構造とした表示板起立構造体を提供することにある。また、第二に、車椅子などが乗り上げにくい液体タンクの形状を有する表示板起立構造体を提供することにある。
【課題を解決するための手段】
【０００６】
以上の課題を解決するため、本発明のうち、請求項１に記載の発明は、表示板と、表示板を固定起立させるための液体タンクとからなる表示板起立構造体であって、液体タンクの液体注入口は、液体タンク底面側にて内部に向かって形成された凹部に設けられたことを特徴とする表示板起立構造体を提供する。また、請求項２に記載の発明は、液体タンクの液体注入口は、液体タンク内の標準水面位置よりも高い位置に設けられたことを特徴とする請求項１に記載の表示板起立構造体を提供する。また、請求項３に記載の発明は、液体タンク側部の高さは１０センチメートル以上３０センチメートル以下である請求項１又は２に記載の表示板起立構造体を提供する。さらに、請求項４に記載の発明は、液体タンクに標準水面まで水を注入した際の液体タンクの重さは１０キログラム以上であり、液体タンクに固定起立される表示板を含めた高さが９５０ミリメートル以上１２００ミリメートル以下である請求項１から３のいずれか一に記載の表示板起立構造体を提供する。
【発明の効果】
【０００７】
本発明により、表示板が風で倒れないようにするため液体を入れた液体タンクを重しとしてこの上に表示板を差し込んで起立した状態で固定させるようにした、簡易な構造で、運搬が容易である表示板起立構造体において、第一に、表示板起立構造体の見映えをよくするため液体タンクの注入口・排出口を外部から見えない位置に取り付け、しかも、注入口・排出口から液体が漏れない構造とした表示板起立構造体を提供することが可能となる。また、第二に、車椅子などが乗り上げにくい液体タンクの形状を有する表示板起立構造体を提供することが可能となる。
【発明を実施するための最良の形態】
【０００８】
以下に、本発明の実施例を説明する。その際、実施例１、２は主に請求項１などに関し、実施例３は主に請求項２などに関し、実施例４は主に請求項３などに関する。なお、本発明はこれら実施例に何ら限定されるものではなく、その要旨を逸脱しない範囲において、種々なる態様で実施しうる。
【実施例１】
【０００９】
<概要>
本実施例の表示板起立構造体は、表示板と、表示板を固定起立させるための液体タンクとからなる表示板起立構造体であって、液体タンクの液体注入口が液体タンク底面側にて内部に向かって形成された凹部に設けられたことを特徴とし、これによって液体漏れが生じないような構造としたものである。
【００１０】
<構成>
図１は本実施例の表示板起立構造体の外観の一例を示す図である。本例の「表示板起立構造体」は、「表示板」０１０１と表示板を固定起立させるための「液体タンク」０１０２とからなる。「表示板起立構造体」は、主に屋外で使用され、表示板を液体タンクに固定起立させたものをいい、見る者に対し一定の情報を表示して提供することを目的とするものをいうが、その具体的用途は問わない。例えば、歩行者などに対し「工事中」である旨やイベントの会場位置などを注意喚起するものや、自社の商品やサービスの宣伝広告を行うためのものが考えられるが、そのほかの用途のものであってもよい。
【００１１】
本発明における「表示板」は、上のような一定の情報を表示するための板を広く含む。よって、その具体的名称は問わない。例えば、看板、掲示板、広告板などの名称で呼ばれるものであっても、上の定義に該当するものであれば本発明の「表示板」に含まれる。また、その素材も、後述の液体タンクに差し込むことにより固定起立可能なものであれば特に限定はない。ただし、屋外で使用されることが多く、相当程度の風圧でも倒れない必要があり、頻繁に差し替えられる可能性もあることなどから、丈夫で弾力性があり、しかも安価な素材が望ましい。かかる観点からは素材の例としては、プラスチックが最も望ましいが、このほか、鉄等の金属などであってもよい。さらに、表示板の形状・寸法も、液体タンクとの間の差込み・抜取りが容易な形状であり、かつ液体を入れた液体タンクに差し込んだ状態で固定起立可能で相当程度の風圧でも倒れない寸法のものであれば、特に限定はない。ただし、表示板起立構造体は歩行者等の通行の妨げとならないように歩道脇の植込みの中に配置されることも多いところ、このような使用形態を考えた場合には、植込みの高さ（一般に８００ミリメートル程度）より上の部分に表示板がその用途を果たせる程度（つまり、表示すべき内容をその部分に十分表示できる程度）に露出するような高さ（液体タンク部分を含み９５０〜１２００ミリメートル程度）であることが望ましい。
また、表示板は、液体タンクに差し込むことにより固定起立可能な構造となっている。図１に示す例では、後述のように液体タンクに表示板を差し込むための溝が設けられており、この溝に表示板を差し込むことにより表示板を液体タンク上に固定起立させることができる。
【００１２】
図２は、かかる表示板の一例を示す概念図である。本例は、略長方形状の表示板であって、図には明示されていないが、高さが９８０ミリメートル程度、幅４５０ミリメートル程度、厚さ５ミリメートル程度の表示板を想定したものである。そして、表示板を固定起立させるためには、表示板をただ溝に差し込むだけでもよいが、相当程度の風圧でも倒れないようにするために、表示板をネジ等で液体タンクに固定してもよい。あるいは、液体タンクの溝の一部に液体タンク底面側に貫通する穴が設けられ、表示板のうち当該穴を貫通して液体タンク底面側に露出する部分に穴が設けられており、その穴に抜け止め用ピン等を差し込んで固定するようにしてもよい。図２では、表示板の下方に設けられた差込み部０２０１（図中斜線で示した部分）を液体タンクの溝に差し込むようになっているとともに、当該差込み部の先端に抜け止め用ピン等を差し込んで固定するための穴０２０２をあけた突起部０２０３が設けられている例が示されている。この場合、図には明示されていないが、差込み部の長さ（突起部を除く。即ち図２のａの寸法）は６０ミリメートル程度を想定した。また、突起部の長さ（図２のｂの寸法）は１６ミリメートル程度、穴の直径は８ミリメートル程度を想定した（なお、同図は概念図であるので、図中の寸法比率は上述の想定寸法に基づく比率とは必ずしも一致しない。他の図においても同様である）。
【００１３】
「液体タンク」は、表示板を固定起立させるためのものである。その素材や形状・寸法はやはりこれを問わない。素材の一例としては、ポリエチレンが考えられる。これは、丈夫で防水性が高く、安価でしかも着色が容易であるなどの観点から望ましいものである。また、形状・寸法については、液体を注入し、表示板を差し込んで起立した状態で固定したときに、相当程度の風圧に耐えうるように十分重しとなるような安定した形状を有し、十分な重量の液体を収容できる形状・寸法であることが必要である。また、車椅子などが乗り上げにくい形状であることが望ましく、この観点からは一定の高さ（好適には１０センチメートル以上３０センチメートル以下）の側部（側壁）を有することが望ましい。図１では、底面部が略八角形である略角柱状の形状を有し、かかる観点に基づく側部が設けられた液体タンクを示した。また、寸法については、図には明示されていないが、長さ（溝に垂直方向の寸法）が５６０ミリメートル程度、幅（溝に平行方向の寸法）が５１０ミリメートル程度、側部の高さが１００ミリメートル程度のものを想定した。ただし、これ以外にも、例えば底面部が略楕円形である略円柱状のものであってもよく、その他にも様々な形状・寸法のものが考えられる。要するに上記の必要性を満たすものであれば、その具体的形状・寸法は当業者の設計事項である。
【００１４】
次に、液体タンクの構造について説明する。
図３は、液体タンクの構造の一例を示すための概念図である。図３（ａ）は、図１と同様の表示板起立構造体の液体タンクの平面を表す外観図である。同図中、中央を横に貫く２本の線にはさまれた部分０３０１が表示板を差し込むための溝であり、その中央部分の小さな長方形０３０２で示された部分が液体タンクの溝の一部に開けられた液体タンク底面側に貫通する穴である。また、その上に破線の円で示された部分０３０３は、底面側に設けられた注入口の位置を示す。
【００１５】
図３（ｂ）は図３（ａ）のＡ‐Ａ断面、即ち液体タンクの中心を貫く線で切断した面を表す垂直断面図である。同図から明らかなように、本例の液体タンク０３０４は、Ａ‐Ａ断面における断面が略長方形状（ただし中央部分が大きくくびれている）をなす略角柱状であり、内部に液体を収容するための中空部分０３０５を有する。液体タンクの厚さは、その素材にもよるが、一般に運搬が容易にできるように、丈夫さを損なわない程度に薄いことが望ましい。同図では、図には明示されていないが、液体タンクの厚さが５ミリメートル程度のものを想定した。また、同図の例にも示されているように、液体タンクの側部は、車椅子などが液体タンクに乗り上げて通行に支障をきたさないように一定の高さと勾配を持つ側部を有している。ただし、これも同図に示されているように、液体タンクの上面から側部に移行する部分はやや丸みを帯びていることが望ましい。これは歩行者等がぶつかったときの怪我を防止するためである。具体的な側部の高さ、勾配や上面から側部に移行する部分の丸みの程度は、かかる観点に照らした上での当業者の設計事項である。
【００１６】
また、図３（ｂ）において中央部分に大きくくびれた部分０３０６は、表示板を差し込むための溝である。
【００１７】
図４は、図３（ｂ）のうち溝の部分を拡大した断面図である。同図の例では、液体タンクの底面部の中央部分０４０１が内部に向かって凹部に形成されており、溝０４０２がほぼこの底面部まで到達する形で設けられているとともに、溝底中央部分に液体タンクの底面側に貫通する穴０４０３が設けられている。これは上述の液体タンクの溝の一部に設けられた「液体タンク底面側に貫通する穴」に該当する。なお、図４の例では、図には明示されていないが、液体タンクの溝の深さ（図のｃの寸法）は、６０ミリメートル程度を想定した。
【００１８】
図３（ｃ）は、参考までにＡ‐Ａ断面以外のこれと平行な断面の一例として図３（ａ）のＢ‐Ｂ断面を表す垂直断面図である。同図に示すように、液体タンクの中央部分以外では、溝は底面側に貫通しておらず、中の液体がくびれた部分を介して左右に自由に移動可能な構造となっている。
【００１９】
なお、以上に説明した液体タンクの具体的な形状・寸法はあくまで一例であって、これらは上の条件に適う限りにおいて当業者の設計事項である。また、溝の長さや深さは、表示板の長さ、幅、厚み、重量などに左右されるが、これらもその範囲内において当業者の設計事項である。
【００２０】
また、図３（ｂ）に示すように、本例の液体タンクには、その底面側に液体を注入・排出するための液体注入口０３０７が設けられている（排出口は注入口によって兼ねられている）。この注入口は液体タンク底面側にて内部に向かって形成された凹部０３０８に設けられている。このような部分に注入口を設けたのには、二つの意味がある。一つは、見映えをよくするためであり、このために注入口を外部から見えない面に設けたということである。もう一つは、注入口から液体漏れが生じないようにするためであり、このため、液体タンクの液体注入口を液体タンク内に液体を満たしたときの液体面より高い位置に設けることを可能にしたということである。従って、注入口が「底面側にて内部に向かって形成された凹部に設けられている」というのは、注入口がこれらの目的に適うような位置に設けられている範囲内において一定の幅のある概念である。図３の例では、図には明示されていないが、底面の一部を内部に向かって６０ミリメートル程度窪ませる形で略円柱状（底面部の略円の直径が３０ミリメートル程度）に形成された凹部の上面にあたる部分に注入口が設けられているものを想定した。ただし、このほか、例えば、本図と同様の略円柱状に形成された凹部の側面にあたる部分に注入口が設けられていてもよく、具体的にどこに設けるかは当業者の設計事項である。なお、ここで「底面側」とは、地面に対し水平な面である底面のほかに、底面に隣接する、外部からは見えない面であって、地面に対し水平でない面も含む意味である。上述の「本図と同様の略円柱状に形成された凹部の側面」は、底面に隣接した面の一例である。また、「内部に向かって」とは、同図の例からも明らかなように、液体タンクの内部側（中空側）に向かってという意味である。さらに、「凹部」とは、これも同図の例からも明らかなように、液体タンクの内部側に向かって窪んでいる部分、換言すれば、窪みがない場合に比べて液体タンクの容積を減らすような形で設けられた部分という意味である。
【００２１】
また、上述のように、液体注入口を液体タンク底面側にて内部に向かって形成された凹部に設けたことの一つの目的は、注入口から液体漏れが生じないようにするためであり、このため、液体タンクの液体注入口を液体タンク内に液体を満たしたときの液体面より高い位置に設けることを可能にしたということであるところ、実用時におけるかかる液体面は、後述のように「標準水面位置」となるので、液体注入口がこの標準水面位置よりも高い位置に設けられていることが望ましい。なお、標準水面位置の具体的意味については後述する。
【００２２】
以上のように構成したので、液体注入口は、これをネジ止め式の構造とすることが可能となる。即ち、ネジ止め式は、一般に、簡易密閉式（パッキン式）などに比べ、構造が簡単で安価に実現できるというメリットを有する反面、密閉度において劣り液体漏れのおそれが大きいというデメリットを有するが、液体注入口を液体タンク内に液体を満たしたときの液体面より高い位置に設けることを可能にしたことで、デメリットを顕在化させることなくメリットだけを追求することが可能となる。図３の例でも、液体注入口がネジ止め式の構造である場合が示されている。同図の例では、前述のように底面の一部を内部に向かって６０ミリメートル程度窪ませる形で略円柱状（底面部の略円の直径が３０ミリメートル程度）に形成された凹部の上面にあたる部分に注入口が設けられているものを想定したが、その際、当該円柱の側面を形成する液体タンク外面のうち下約半分の部分が雌ネジのネジ山を形成し、これに雄ネジが嵌合した状態で取り付けられている。
【００２３】
図５は、この状態をより詳細に説明するために、図３に示す液体タンクの液体注入口部分を拡大した断面図である。同図において、上述のように円柱の側面を形成する液体タンク外面のうち下約半分の部分０５０１が雌ネジのネジ山を形成し、これに雄ネジ０５０２が嵌合した状態で取り付けられている。その際、雄ネジのネジ頭に近い部分に雌ネジのネジ山の形状・寸法に対応したネジ山が形成されて雌ネジと嵌合する構造になっている。また、円柱の側面を形成する液体タンク外面のうち上約半分の部分は、ネジ山が形成されておらず、これに対応して雄ネジの先端に近い部分も液体タンクの円柱部分の内径に合せた寸法の円柱状をなしている。この結果、液体タンク本体部分と雄ネジとの嵌合面は同図においては雄ネジ右端の図中太線で示す部分０５０７及び図示を省略した雄ネジ左端の部分に現れるが、この嵌合面の頂上部分０５０３、即ち、液体注入口の位置が液体タンク内に液体を満たしたときの液体面より高い位置にくる（一例として液体面の位置は０５０４で示すラインとなる）ため、この嵌合面に生じる隙間から液体が浸透して液体漏れが生じるおそれがないわけである。なお、本例では、雄ネジのネジ頭０５０５とつまみ０５０６が一体に成形されているものを示した。このつまみは、ネジの着脱作業がしやすいようにするために形成されたもので、例えば円柱状のつまみの内側が六角柱状にくりぬかれ、そのくりぬかれた部分にレンチ等を挿入してネジを回すことによりネジの着脱が容易にできるような構造のものが考えられる。ただし、かかるつまみはなくてもよく、ネジ頭をドライバーで直接回して着脱するようになっていてもよい。
【００２４】
なお、本例の液体タンクに注入される液体の種類には特に限定はない。もっとも、表示板起立構造体の使用目的に照らせば、簡単に注入・排出ができる程度に粘性が小さく、無害であり、適度の比重を有し、かつできるだけ安価なものが望ましい。その典型は水である。
【実施例２】
【００２５】
<概要>
本実施例の表示板起立構造体は、実施例１のものと同様、表示板と、表示板を固定起立させるための液体タンクとからなる表示板起立構造体であって、液体タンクの液体注入口が液体タンク底面側にて内部に向かって形成された凹部に設けられたものであるが、さらに、液体タンクの液体注入口が液体タンク内の標準水面位置よりも高い位置に設けられたことを特徴とし、これによって液体漏れが生じないような構造としたものである。
【００２６】
<構成>
本実施例の表示板起立構造体の構成は、基本的に実施例１のそれと共通する。ただし、本例の表示板起立構造体は、液体タンクの液体注入口が液体タンク内の標準水面位置よりも高い位置に設けられたことを特徴とする。
【００２７】
「標準水面位置」とは、表示板起立構造体を実用に供する際に液体タンクに液体を注入して水平の状態で置いた場合に、液体タンク内の液体が形成する水面の位置をいう。この位置を決定する要素としては、まず、液体を注入した液体タンクに表示板を固定起立させたときに、表示板が倒れない程度に液体タンクが十分な重しとなり得るだけの量であるという要素が挙げられる。また、注入口を液体タンクの液体タンク底面側にて内部に向かって形成された凹部に設けるという液体タンクの構造から注入できる液体の量におのずと限界があるという要素が挙げられる。ここでは、この二つの要素のうち後者について説明する（前者については、相当程度の風圧でも倒れない構造であることの説明として後述する）。（なお、「水面」という語は、ここでは液体の水平面という意味で用いており、液体が水に限られないこととは何ら矛盾しないことはいうまでもない。）
【００２８】
注入口を液体タンクの液体タンク底面側にて内部に向かって形成された凹部に設けるという液体タンクの構造から注入できる液体の量におのずと限界があるというのは、次のような意味である。即ち、液体を液体タンクに注入する際には、底面側に注入口を設けたという本例の液体タンクの構造上、液体タンクを垂直に立てた状態（図３（ｂ）のＣ方向が上方になる状態）又は液体タンクを裏返しにした状態（図３（ｂ）のＤ方向が上方になる状態）で注入作業を行うこととなる。垂直に立てた状態で注入した場合は、液体を注入口より上まで注入することができないので、この観点から注入できる液体の量に限界が生じる。
図６は、参考までに液体タンクを垂直に立てた状態で注入作業を行う場合に注入できる液体の量を示す概念図である。同図においては、液体を注入口の液体タンク中央に近い側の端と同じ高さの線０６０１までしか注入することができないことが示されている。この場合の量は、概ね同図に示す位置に注入口を取り付けた液体タンクを想定すれば、液体タンクの容積の約７割であると考えられる（ただし、同図は概念図であり、正確な液体注入可能量を示すものではない）。
また、液体タンクを裏返しにした状態についてもこれと同様の限界を生じる。
図７は、参考までに液体タンクを裏返しにした状態で注入作業を行う場合に注入できる液体の量を示す概念図である。同図においては、液体を注入口の液体タンク底面側の端と同じ高さの線０７０１までしか注入することができないことが示されている。この場合の量は、概ね同図に示す位置に注入口を取り付けた液体タンクを想定すれば、液体タンクの容積の約７割であると考えられる（ただし、同図は概念図であり、正確な液体注入可能量を示すものではない）。
【００２９】
この液体タンクの容積の約７割という数字は、後述の説明で明らかにするように、もう一つの要素である、液体を注入した液体タンクに表示板を固定起立させたときに表示板が倒れない程度に液体タンクが十分な重しとなり得るだけの量であるという観点からも必要かつ十分な量である。
即ち、「標準水面位置」とは、具体的には、液体タンクの容積の約７割を満たす量の液体を注入して水平の状態で置いた場合に液体タンク内の液体が形成する水面の位置をいう。
【００３０】
そして、本例の表示板起立構造体においては、液体タンクの液体注入口が液体タンク内の標準水面位置よりも高い位置に設けられたことから、実用に供する際に液体注入口が液体に濡れない状態に保つことができる。
図８は、参考までに、図３（ｂ）と同じ液体タンクの垂直断面図にて、液体タンクの液体注入口０８０１が標準水面位置０８０２より高い位置に設けられている状態を示す概念図である（ただし、同図は概念図であり、正確な液体注入可能量を示すものではない）。
【００３１】
以上のように構成したので、本実施例の表示板起立構造体は、これを液体漏れが生じない構造とすることができる。また、かかる構成により、液体注入口は、これをネジ止め式の構造とすることも可能となる。
【実施例３】
【００３２】
<概要>
本実施例の表示板起立構造体は、実施例１又は２のものと同様のものであるが、さらに、液体タンク側部の高さは１０センチメートル以上３０センチメートル以下であることを特徴とし、これによって車椅子などが乗り上げにくい液体タンクの形状を有する構造としたものである。
【００３３】
<構成>
本実施例の表示板起立構造体の構成は、基本的に実施例１又は２のそれと共通する。ただし、本例の表示板起立構造体の液体タンク側部の高さは１０センチメートル以上３０センチメートル以下である。
【００３４】
図９は、図１に示したのと同じ表示板起立構造体の液体タンク部分の外観を拡大した概念図である。本実施例の液体タンクの側部の高さは１０センチメートル以上３０センチメートル以下であるところ。同図の例では、図には明示されていないが、当該高さ（図のｄの寸法）が１８センチメートルの場合を想定した。このように液体タンク側部の高さを１０センチメートル以上３０センチメートル以下とした理由は、以下のとおりである。
【００３５】
まず、液体タンク側部の高さを１０センチメートル以上としたのは、車椅子には前輪の直径が７インチ（約１７．５センチメートル）程度のものが多く、また、乳母車も前輪の直径が１２〜１８センチメートル程度のものが多いと見られることから、本例の液体タンク部のようにこれらの直径の半分程度以上の側部の高さを持ち、かつ側部が切り立った形状のものであれば、車椅子や乳母車が乗り上げて通行に支障をきたすおそれを防止することができると考えたためである。なお、側部の高さの上限（３０センチメートル）を設けたのは、これ以上高いと逆に車椅子に乗った人の体、乳母車の本体部分、一般の歩行者の体などに直接当たってこれらを傷つけるおそれがあるためである。
【００３６】
以上のように構成したので、車椅子など液体タンクに乗り上げて通行に支障をきたさないような液体タンクの形状とすることが可能となる。
【実施例４】
【００３７】
<概要>
本実施例の表示板起立構造体は、実施例請求項１から３のいずれか一のものと同様のものであるが、さらに、液体タンクに標準水面まで水を注入した際の液体タンクの重さは、１０キログラム以上であり、液体タンクに固定起立される表示板を含めた高さが９５０ミリメートル以上１２００ミリメートル以下であることを特徴とし、これによって相当程度の風圧でも表示板起立構造体が倒れないような構造としたものである。
【００３８】
<構成>
本実施例の表示板起立構造体の構成は、基本的に実施例１又は２のそれと共通する。ただし、本例の表示板起立構造体において、液体タンクに標準水面まで水を注入した際の液体タンクの重さは、１０キログラム以上であり、液体タンクに固定起立される表示板を含めた高さが９５０ミリメートル以上１２００ミリメートル以下である。
【００３９】
液体タンクの重さや表示板起立構造体の高さをこのような重量・寸法にしたのは、相当程度の風圧、具体的には液体タンクには容積の７割に当たる量の水が注入された状態である。以下、この点について具体的に説明する。
【００４０】
図１０は、かかる重量・寸法の表示板起立構造体が風速２０メートル／秒の風圧下でも倒れないような構造になっていることを、かかる表示板起立構造体の一例を用いて説明するための図である。ここで、「相当程度の風圧」を風速２０メートル／秒としたのは、平均風速が概ね２０メートル／秒以上の場合に暴風警報が発令される（気象庁「気象予報・警報等の種類及び発表基準」による）ことを踏まえたものである。
【００４１】
本例の表示板起立構造体は、図１で想定したものと同様のものである。即ち、液体タンクは底面部が略八角形である略角柱状の形状を有し、長さ（溝に垂直方向の寸法）が５６０ミリメートル、幅（溝に平行方向の寸法）が５１０ミリメートル、側部の高さが１８０ミリメートルである。また、図には明示されていないが、液体タンクには容積の７割に当たる量の水が注入された状態である。一方、表示板は、長方形状であり、幅４５０ミリメートル、厚さ５ミリメートルである。また、長さは９８０ミリメートルであり、液体タンクに差し込まれた状態での表示板の地面からの高さは１０００ミリメートルである。さらに、本例では液体タンクの素材はポリエチレン、表示板の素材はプラスチックである。また、液体タンクに注入される液体は水である。この場合、表示板起立構造体全体の重量は液体タンク内に注入された水の重量を含めて１２キログラムとなる。その際、前述したように標準水面位置を決定する一つの要素として、液体を注入した液体タンクに表示板を固定起立させたときに、表示板が倒れない程度に液体タンクが十分な重しとなり得るだけの量であるという要素があるところ、本例において表示板起立構造体全体の重量は液体タンク内に注入された水の重量を含めて１２キログラムとなるためには、液体タンクに容積の７割に当たる量の水を注入した状態であることが必要となる。そして、後述のように、本例の場合、１２キログラムの重量があることで風速２０メートル／秒の風圧下でも倒れないことが可能となるので、液体タンクの素材がポリエチレン、表示板の素材がプラスチックであるという実用上最も望ましいと考えられる素材を前提とした場合、液体タンクに容積の７割に当たる量の水を注入することが必要となる。換言すれば、標準水面位置を決定する要素のうち、液体を注入した液体タンクに表示板を固定起立させたときに、表示板が倒れない程度に液体タンクが十分な重しとなり得るだけの量であるという要素に関しても、液体タンクに容積の７割に当たる量の水を注入して水平の状態で置いた場合の位置が標準水面位置となる。
【００４２】
以上の前提で、この表示板起立構造体が風速２０メートル／秒の風圧下でも倒れないことを計算値により説明すれば、以下のとおりである。
風が表示板の正面（広告などを表示する面）に向かって垂直に風速２０メートル／秒で吹き付けたとする。この場合、気象庁が定める「風の強さと吹き方の表現」（気象庁ホームページ掲載）によれば、風圧Ｐは風速Ｖの自乗に比例し、箱型の建物の壁が受ける圧力は、数式「Ｐ＝０．０５Ｖ２」で表されるので、これを本実施例の表示板起立構造体にあてはめれば、表示板が受ける単位風圧（Ｐ０）は、以下の計算式により２０キログラム重／平方メートルとなる。
【００４３】
そこで、これをもとに本例の表示板にかかる風圧を計算すると以下のとおり、７．３８キログラム重となる。このとき、風速２０メートル毎秒下での表示板の地面からの高さは約０．８２メートル（厳密には８１８ミリメートル）である。
【００４４】
【数１】
0004705819.tif 000002
【００４５】
このとき鉛直方向に加わるベース荷重を計算すると、以下のとおり、１１．５キログラム重となる。なお、Ｌ１は、風速２０メートル／秒の風圧下における液体タンクのうち表示板を差し込んだ部分から端までの長さ、Ｌ２は同条件下における表示板の中央から地面までの高さである。
【００４６】
【数２】
0004705819.tif 000003
【００４７】
即ち、このベース荷重１１．５キログラム重は、上述の表示板起立構造体全体の重量１２キログラムより小さい。よって、本例の表示板起立構造体はかかる風圧下でも倒れないことがわかる。
【００４８】
図１１は、かかる重量・寸法の表示板起立構造体が風速２０メートル／秒の風圧下でも倒れないような構造になっていることを、かかる表示板起立構造体の別の一例を用いて説明するための図である。本例の表示板起立構造体も、図１で想定したものと同様の形状であるが、寸法はやや小さく、液体タンクの長さが４６０ミリメートル、幅が３６０ミリメートル、側部の高さが１８０ミリメートルである。また、表示板は、幅３００ミリメートルである。その余の点は図１０に示す例と同様である。この結果、表示板起立構造体全体の重量は液体タンク内に注入された水の重量を含めて９．７キログラムとなる。この場合に上と同様の計算によりベース荷重を求めると、以下のとおり、９．４キログラムとなる。
【００４９】
【数３】
0004705819.tif 000004
【００５０】
即ち、このベース荷重９．４キログラム重は、上述の表示板起立構造体全体の重量９．７キログラムより小さい。よって、本例の表示板起立構造体はかかる風圧下でも倒れないことがわかる。
【図面の簡単な説明】
【００５１】
【図１】実施例１の表示板起立構造体の外観の一例を示す図
【図２】実施例１の表示板の一例を示す概念図
【図３】実施例１の液体タンクの構造の一例を示すための概念図
【図４】実施例１の液体タンクの構造の一例を示すための垂直断面図
【図５】実施例１の液体タンクの液体注入口部分を拡大した断面図
【図６】実施例２の液体タンクを垂直に立てた状態で注入作業を行う場合に注入できる液体の量を示す概念図
【図７】実施例２の液体タンクを裏返しにした状態で注入作業を行う場合に注入できる液体の量を示す概念図
【図８】実施例２の液体タンクの液体注入口が標準水面位置より高い位置に設けられている状態を示す概念図
【図９】実施例３の表示板起立構造体の液体タンク部分の外観を拡大した概念図
【図１０】実施例４の表示板起立構造体が風速２０メートル／秒の風圧下でも倒れないような構造になっていることを説明するための図
【図１１】実施例４の表示板起立構造体が風速２０メートル／秒の風圧下でも倒れないような構造になっていることを説明するための図
【符号の説明】
【００５２】
０１０１      表示板
０１０２      液体タンク
０２０１      差込み部
０２０２      抜け止め用ピン等を差し込んで固定するための穴
０２０３      突起部
０３０１      表示板を差し込むための溝
０３０２      液体タンク底面側に貫通する穴
０３０３      注入口の位置
０３０４      液体タンク
０３０５      液体を収容するための中空部分
０３０６      表示板を差し込むための溝
０３０７      液体注入口
０３０８      液体タンク底面側にて内部に向かって形成された凹部
【図２】
0004705819.tif 000005
【図３】
0004705819.tif 000006
【図４】
0004705819.tif 000007
【図５】
0004705819.tif 000008
【図６】
0004705819.tif 000009
【図７】
0004705819.tif 000010
【図８】
0004705819.tif 000011
【図１０】
0004705819.tif 000012
【図１１】
0004705819.tif 000013
【図１】
0004705819.tif 000014
【図９】
0004705819.tif 000015